(57)【特許請求の範囲】
【請求項１】
駆動手段と、前記駆動手段と連動する第１リンクと、前記第１リンクに対して相対移動可能に支持された第１装飾体と、前記第１リンクに連動する第２リンクと、前記第２リンクに対して相対移動可能に支持された第２装飾体と、前記第１装飾体と前記第１リンクとの間に装着された第１弾性体と、前記第２装飾体と前記第２リンクとの間に装着された第２弾性体とを備え、
前記第１装飾体が前記第１リンクの動きに応じて駆動するとともに、前記第１装飾体に負荷がかかると、前記第１弾性体が弾性変形し、前記第１装飾体が前記第１リンクに対して相対移動し、且つ、前記第２装飾体が前記第２リンクの動きに応じて駆動するとともに、前記第２装飾体に負荷がかかると、前記第２弾性体が弾性変形し、前記第２装飾体が前記第２リンクに対して相対移動するものであり、
前記駆動手段、前記第１リンク、前記第２リンク、前記第１弾性体、及び前記第２弾性体は、筐体の内部に配置するとともに、前記第１装飾体及び前記第２装飾体は、前記筐体の外部に突出し、
更に、前記第１リンク及び前記第２リンクの一方には、溝状のガイド部を設けるとともに、それらの他方には、前記ガイド部に係止する突部を設け、
前記第１リンクは、前記筐体の内部に設けられた第１支軸を保持する第１円筒ボスを有し、前記第１支軸を中心に揺動し、前記第２リンクは、前記筐体の内部に設けられた第２支軸を保持する第２円筒ボスを有し、前記第２支軸を中心に揺動し、
前記第１装飾体は、その基端部を前記第１円筒ボスに回転可能に装着し、前記第２装飾体は、その基端部を前記第２円筒ボスに回転可能に装着し、
前記第１弾性体は、その両端を前記第１装飾体及び前記第１リンクにそれぞれ固定し、前記第２弾性体は、その両端を前記第２装飾体及び前記第２リンクにそれぞれ固定し、
前記第１リンクに対する前記第１弾性体の固定位置は、前記第１装飾体に対する前記第１弾性体の固定位置よりも、前記第１支軸に対する回転半径が大きいものとして、前記第１装飾体は、前記第１弾性体に牽引されて前記第１円筒ボスを中心に回転するものとし、
前記第２リンクに対する前記第２弾性体の固定位置は、前記第２装飾体に対する前記第２弾性体の固定位置よりも、前記第２支軸に対する回転半径が大きいものとして、前記第２装飾体は、前記第２弾性体に牽引されて前記第２円筒ボスを中心に回転するものとしたことを特徴とする駆動装置。
【請求項２】
請求項１記載の駆動装置を備えたことを特徴とする時計。
【発明の詳細な説明】
【０００１】
【発明の属する技術分野】
本発明は、装飾体を駆動する駆動装置に関し、例えば時計の装飾に利用されるものである。
【０００２】
【従来の技術】
近年では、からくり時計や人形型の目覚し時計等、玩具としての様相に富んだ時計が好まれる傾向にある。
【０００３】
この種の時計は、例えば、スピーカや装飾体を駆動する駆動装置等を備え、予定時刻になると報知音を発生するとともに、装飾体が駆動する構成となっている。
【０００４】
【発明が解決しようとする課題】
ところで、前述した駆動装置については、装飾体の動きを観察する他に、装飾体を実際に手でいじるという楽しみ方も考えられる。
【０００５】
但し、装飾体はその駆動機構と連繋しているため、装飾体を無理やり動かしたり、駆動中の装飾体に触れたりすると、これが装置の破損や故障等を招く原因となる。故に、このような駆動装置としては、装飾体を満足に駆動するとともに、装飾体に負荷がかけられた際のトラブルを未然に回避するものが望まれている。
【０００６】
本発明は、こうした事情に鑑みてなされたものであり、装飾体を効率よく駆動することができる駆動装置を提供することを目的としている。
【０００７】
【課題を解決するための手段】
本願第１請求項に記載した発明は、駆動手段と、前記駆動手段と連動する第１リンクと、前記第１リンクに対して相対移動可能に支持された第１装飾体と、前記第１リンクに連動する第２リンクと、前記第２リンクに対して相対移動可能に支持された第２装飾体と、前記第１装飾体と前記第１リンクとの間に装着された第１弾性体と、前記第２装飾体と前記第２リンクとの間に装着された第２弾性体とを備え、前記第１装飾体が前記第１リンクの動きに応じて駆動するとともに、前記第１装飾体に負荷がかかると、前記第１弾性体が弾性変形し、前記第１装飾体が前記第１リンクに対して相対移動し、且つ、前記第２装飾体が前記第２リンクの動きに応じて駆動するとともに、前記第２装飾体に負荷がかかると、前記第２弾性体が弾性変形し、前記第２装飾体が前記第２リンクに対して相対移動するものであり、前記駆動手段、前記第１リンク、前記第２リンク、前記第１弾性体、及び前記第２弾性体は、筐体の内部に配置するとともに、前記第１装飾体及び前記第２装飾体は、前記筐体の外部に突出し、更に、前記第１リンク及び前記第２リンクの一方には、溝状のガイド部を設けるとともに、それらの他方には、前記ガイド部に係止する突部を設け、前記第１リンクは、前記筐体の内部に設けられた第１支軸を保持する第１円筒ボスを有し、前記第１支軸を中心に揺動し、前記第２リンクは、前記筐体の内部に設けられた第２支軸を保持する第２円筒ボスを有し、前記第２支軸を中心に揺動し、前記第１装飾体は、その基端部を前記第１円筒ボスに回転可能に装着し、前記第２装飾体は、その基端部を前記第２円筒ボスに回転可能に装着し、前記第１弾性体は、その両端を前記第１装飾体及び前記第１リンクにそれぞれ固定し、前記第２弾性体は、その両端を前記第２装飾体及び前記第２リンクにそれぞれ固定し、前記第１リンクに対する前記第１弾性体の固定位置は、前記第１装飾体に対する前記第１弾性体の固定位置よりも、前記第１支軸に対する回転半径が大きいものとして、前記第１装飾体は、前記第１弾性体に牽引されて前記第１円筒ボスを中心に回転するものとし、前記第２リンクに対する前記第２弾性体の固定位置は、前記第２装飾体に対する前記第２弾性体の固定位置よりも、前記第２支軸に対する回転半径が大きいものとして、前記第２装飾体は、前記第２弾性体に牽引されて前記第２円筒ボスを中心に回転するものとした構成の駆動装置であり、このような構成によると、装飾体が効率よく駆動される。
【０００８】
すなわち、従来では、装飾体を無理やり動かしたり停止したりすると、これが装置の破損や故障等を招く原因となが、本発明では、弾性体が弾性変形しつつ装飾体がリンクに対して相対移動するので、そのようなトラブルが未然に回避される。また、装飾体は、負荷が解消されると弾性体の復元力にて本来の位置に復帰する。
【０００９】
更に、本発明の場合は、弾性体の弾力に応じて、装飾体の動きがある程度滑らかになるという利点もある。つまり、装飾体の慣性によって弾性体が多少弾性変形すれば、装飾体の初動時や反転移動時において、その動きに一瞬の遅れが生じ、これが装飾体の動きを円滑に見せる訳である。
【００１０】
本発明の構成によると、筐体の外部に突出した装飾体が駆動するという面白い動作が得られる。
【００１１】
特に、筐体から突出した装飾体は、実際に手でいじることも可能であり、玩具としての趣向も向上される。
【００１２】
本願第２請求項に記載した発明は、請求項１記載の駆動装置を備えた構成の時計である。つまり、かかる駆動装置は、装飾体が効率よく駆動されるものであり、時計を装飾するものとして、好適に利用することが可能である
【００１３】
【発明の実施の形態】
以下に、本発明の具体例を図面に基づいて詳細に説明する。
【００１４】
図１乃至図３に示す時計１は、第１装飾体２１０及び第２装飾体２２０を駆動する駆動装置１００を備えたアナログ式の目覚し時計であり、予定時刻になると、図示を省略したスピーカから報知音たるメロディーを発生するとともに、第１装飾体２１０及び第２装飾体２２０を駆動する構成となっている。
【００１５】
また、本例の時計１は、その正面側に時刻表示部１１を構成する筐体１０を有し、第１装飾体２１０及び第２装飾体２２０は、筐体１０の側面要所に形成された開口部１２から筐体１０の外部にそれぞれ突出しており、正面側から見て左右対称に揺動する構成となっている。尚、開口部１２の近傍には、各装飾体２１０，２２０の移動範囲を規制するストッパー１３を設けている。
【００１６】
駆動装置１００は、駆動手段たるモータ３００と、ウォームギア４００を介してモータ３００と連動する第１リンク５１０及び第２リンク５２０と、第１リンク５１０に対して相対移動可能に支持された第１装飾体２１０と、第２リンク５２０に対して相対移動可能に支持された第２装飾体２２０と、第１装飾体２１０と第１リンク５１０との間に装着された第１弾性体６１０と、第２装飾体２２０と第２リンク５２０との間に装着された第２弾性体６２０とを備えている。
【００１７】
第１弾性体６１０及び第２弾性体６２０は、所要の弾力を有するコイルばねであり、第１弾性体６１０は、両端を第１装飾体２１０及び第１リンク５１０にそれぞれ固定され、第２弾性体６２０は、両端を第２装飾体２２０及び第２リンク５２０にそれぞれ固定されている。そして、第１装飾体２１０は、第１リンク５１０の動きに応じて駆動し、第２装飾体２２０は、第２リンク５２０の動きに応じて駆動する。
【００１８】
また、これらのモータ３００、ウォームギア４００、第１リンク５１０、第２リンク５２０、第１弾性体６１０、及び第２弾性体６２０は、筐体１０の内部に配置されている。
【００１９】
ウォームギア４００は、モータ３００の出力軸に設けられたウォーム４１０と、ウォーム４１０と噛合して上下方向に回転するウォームホイール４２０とを備えている。このウォームホイール４２０には、第１リンク５１０を係止する突部４２１が設けられている。
【００２０】
第１リンク５１０は、筐体１０の内部に架設された第１支軸７１０に回転可能に装着されるとともに、ウォームホイール４１０の突部４２１が係止される溝状のガイド部５１１を備え、ウォームホイール４１０が回転するとともに、第１支軸７１０を中心に上下方向に揺動する。
【００２１】
また、第１リンク５１０は、第１支軸７１０を保持する円筒ボス５１０ａを有し、第１装飾体２１０の基端部は、この円筒ボス５１０ａに回転可能に装着されている。第１リンク５１０が揺動すると、第１装飾体２１０は、第１弾性体６１０に牽引されて円筒ボス５１０ａを中心に回転する。
【００２２】
尚、図４乃至図７は、ウォームホイール４２０、第１リンク５１０、及び第１装飾体２１０の動作関係を示す説明図である。これらの図において、矢印Ａはウォームホイール４２０の回転方向、矢印Ｂは第１リンク５１０の移動方向、矢印Ｃは第１装飾体２１０の移動方向を示している。
【００２３】
一方、第２リンク５２０は、筐体１０の内部に架設された第２支軸７２０に回転可能に装着され、第１リンク５１０の揺動に伴い、第２支軸７２０を中心に上下方向に揺動する。第１リンク５１０及び第２リンク５２０の一方には、溝状のガイド部５１２を設けるとともに、それらの他方には、ガイド部５１２に係止する突部５２１を設けている。
【００２４】
また、第２リンク５２０は、第２支軸７２０を保持する円筒ボス５２０ａを有し、第２装飾体２２０の基端部は、この円筒ボス５２０ａに回転可能に装着されている。第２リンク５２０が揺動すると、第２装飾体２２０は、第２弾性体６２０に牽引されて円筒ボス５２０ａを中心に回転する。
【００２５】
尚、図８乃至図１０は、第１リンク５１０、第２リンク５２０、第１装飾体２１０、及び第２装飾体２２０の動作関係を示す説明図である。これらの図において、矢印Ｂは第１リンク５１０の移動方向、矢印Ｃは第１装飾体２１０の移動方向、矢印Ｄは第２リンク５２０の移動方向、矢印Ｅは第２装飾体２２０の移動方向を示している。
【００２６】
このような駆動装置１００によれば、例えば図１１に示すように、第１装飾体２１０に外部から過大な負荷がかかると（同図中の白矢印方向）、第１弾性体６１０が弾性変形し、第１装飾体２１０が第１リンク５１０に対して相対移動する。また同様に、第２装飾体２２０に外部から過大な負荷がかかると、第２弾性体６２０が弾性変形し、第２装飾体２２０が第２リンク５２０に対して相対移動する。
【００２７】
つまり、各装飾体２１０，２２０は、手で押える等して自在に移動させることができる。また、駆動中の各装飾体２１０，２２０に触れても、各弾性体６１０，６２０がそれぞれ弾性変形するので、モータ３００、ウォームギア４００、第１リンク５１０、及び第２リンク５２０が停止する心配はない。また、各装飾体２１０，２２０は、負荷が解消されると各弾性体６１０，６２０の復元力にて本来の位置に復帰する。
【００２８】
更に本例の場合、第１弾性体６１０及び第２弾性体６２０は、第１装飾体２１０及び第２装飾体２２０の慣性でも多少弾性変形する。従って、第１装飾体２１０及び第２装飾体２２０の動きは、それらの初動時や反転移動時において、第１リンク５１０及び第２リンク５２０の動きよりも一瞬遅れることとなり、ある程度滑らになる。その滑らかさは、第１弾性体６１０及び第２弾性体６２０の弾力によって調整することが可能である。
【００２９】
尚、各部材の形状は、例えば図１２に示すように、適宜に設定することが可能である。また、同図の場合、第１装飾体２１０及び第２装飾体２２０の基端部と先端部とは、弾性を有する連結部材８００によって連結されており、それらの先端部が、時計１の前後方向にもある程度曲がるように構成している。
【００３０】
更に、図１３に示すように、第１弾性体６１０や第２弾性体６２０については、板バネを採用することも可能である。同図の場合、第１弾性体６１０及び第２弾性体６２０は、一方の端部をそれぞれ第１装飾体２１０及び第２装飾体２２０に固定するとともに、他方の端部をそれぞれ第１リンク５１０及び第２リンク５２０に保持して装着している。
【００３１】
以上説明したように、本例の駆動装置は、装飾体を効率よく駆動することができるものであり、玩具としての趣向に富んだ目覚し時計を得ることができる。
【００３２】
【発明の効果】
本願第１請求項に記載した発明は、駆動手段と、前記駆動手段と連動する第１リンクと、前記第１リンクに対して相対移動可能に支持された第１装飾体と、前記第１リンクに連動する第２リンクと、前記第２リンクに対して相対移動可能に支持された第２装飾体と、前記第１装飾体と前記第１リンクとの間に装着された第１弾性体と、前記第２装飾体と前記第２リンクとの間に装着された第２弾性体とを備え、前記第１装飾体が前記第１リンクの動きに応じて駆動するとともに、前記第１装飾体に負荷がかかると、前記第１弾性体が弾性変形し、前記第１装飾体が前記第１リンクに対して相対移動し、且つ、前記第２装飾体が前記第２リンクの動きに応じて駆動するとともに、前記第２装飾体に負荷がかかると、前記第２弾性体が弾性変形し、前記第２装飾体が前記第２リンクに対して相対移動するものであり、前記駆動手段、前記第１リンク、前記第２リンク、前記第１弾性体、及び前記第２弾性体は、筐体の内部に配置するとともに、前記第１装飾体及び前記第２装飾体は、前記筐体の外部に突出し、更に、前記第１リンク及び前記第２リンクの一方には、溝状のガイド部を設けるとともに、それらの他方には、前記ガイド部に係止する突部を設け、前記第１リンクは、前記筐体の内部に設けられた第１支軸を保持する第１円筒ボスを有し、前記第１支軸を中心に揺動し、前記第２リンクは、前記筐体の内部に設けられた第２支軸を保持する第２円筒ボスを有し、前記第２支軸を中心に揺動し、前記第１装飾体は、その基端部を前記第１円筒ボスに回転可能に装着し、前記第２装飾体は、その基端部を前記第２円筒ボスに回転可能に装着し、前記第１弾性体は、その両端を前記第１装飾体及び前記第１リンクにそれぞれ固定し、前記第２弾性体は、その両端を前記第２装飾体及び前記第２リンクにそれぞれ固定し、前記第１リンクに対する前記第１弾性体の固定位置は、前記第１装飾体に対する前記第１弾性体の固定位置よりも、前記第１支軸に対する回転半径が大きいものとして、前記第１装飾体は、前記第１弾性体に牽引されて前記第１円筒ボスを中心に回転するものとし、前記第２リンクに対する前記第２弾性体の固定位置は、前記第２装飾体に対する前記第２弾性体の固定位置よりも、前記第２支軸に対する回転半径が大きいものとして、前記第２装飾体は、前記第２弾性体に牽引されて前記第２円筒ボスを中心に回転するものとした構成の駆動装置であり、このような構成によると、装飾体を効率よく駆動することができる。
【００３４】
本願第２請求項に記載した発明は、請求項１記載の駆動装置を備えた構成の時計である。つまり、かかる駆動装置は、装飾体が効率よく駆動されるものであり、時計を装飾するものとして、好適に利用することができる。
【図面の簡単な説明】
【図１】  本発明の具体例に係り、時計を示す正面図である。
【図２】  本発明の具体例に係り、時計を示す上面断面図である。
【図３】  本発明の具体例に係り、駆動装置を示す説明図である。
【図４】  本発明の具体例に係り、駆動装置の説明図である。
【図５】  本発明の具体例に係り、駆動装置の説明図である。
【図６】  本発明の具体例に係り、駆動装置の説明図である。
【図７】  本発明の具体例に係り、駆動装置の説明図である。
【図８】  本発明の具体例に係り、駆動装置の説明図である。
【図９】  本発明の具体例に係り、駆動装置の説明図である。
【図１０】  本発明の具体例に係り、駆動装置の説明図である。
【図１１】  本発明の具体例に係り、駆動装置の説明図である。
【図１２】  本発明の具体例に係り、駆動装置の説明図である。
【図１３】  本発明の具体例に係り、駆動装置の説明図である。
【符号の説明】
１      時計
１０      筐体
１１      時刻表示部
１００      駆動装置
２１０      第１装飾体
２２０      第２装飾体
３００      モータ
４００      ウォームギア
４１０      ウォーム
４２０      ウォームホイール
４２１      突部
５１０      第１リンク
５１０ａ      円筒ボス
５１１      ガイド部
５１２      ガイド部
５２０      第２リンク
５２０ａ      円筒ボス
５２１      突部
６１０      第１弾性体
６２０      第２弾性体
７１０      第１支軸
７２０      第２支軸
８００      連結部材
【図１】
0004086274.tif 000002
【図２】
0004086274.tif 000003
【図３】
0004086274.tif 000004
【図４】
0004086274.tif 000005
【図５】
0004086274.tif 000006
【図６】
0004086274.tif 000007
【図７】
0004086274.tif 000008
【図８】
0004086274.tif 000009
【図９】
0004086274.tif 000010
【図１０】
0004086274.tif 000011
【図１１】
0004086274.tif 000012
【図１２】
0004086274.tif 000013
【図１３】
0004086274.tif 000014